(57)【要約】【課題】表示内容に応じて異なる色で天板に表示することができる加熱調理器を提供する。【解決手段】本体ケース１と、本体ケース１の上部に設けられ、可視光を透過するブラックガラスで形成された天板２と、本体ケース１内に天板２に対向して配置された加熱コイルと、加熱コイルに対応して天板２の裏面に設けられ、表示内容に応じて異なる色で天板２に表示する表示部１３、１５とを備えた。【選択図】図１
2014072038.tif 000002
【特許請求の範囲】
【請求項１】
本体ケースと、
前記本体ケースの上部に設けられ、可視光を透過するブラックガラスで形成された天板と、
前記本体ケース内に前記天板に対向して配置された加熱コイルと、
前記加熱コイルに対応して前記天板の裏面に設けられ、表示内容に応じた色で前記天板に表示する表示部と
を備えたことを特徴とする加熱調理器。
【請求項２】
前記表示部は、前記天板の裏面に重ねて貼り付けられ、それぞれ色の異なる発光材で表示内容が印字された印刷シートを有し、光源からの光に応じた色で表示内容を表示することを特徴とする請求項１記載の加熱調理器。
【請求項３】
前記印刷シートに、火力の設定前及び設定後の複数の火力値が色の異なる発光材で印字されていることを特徴とする請求項２記載の加熱調理器。
【請求項４】
前記印刷シートに、色の異なる発光材で「強」及び「弱」を示す文字が印字され、
前記表示部は、表示切替キーが操作されたときに、複数の火力値から「強」及び「弱」の文字に切り替え表示することを特徴とする請求項２又は３記載の加熱調理器。
【請求項５】
前記本体ケース内に配置されたグリル加熱器と、
前記グリル加熱器に対応して前記天板の裏面に設けられ、表示内容に応じた色で前記天板に表示するグリル表示部と
を備えたことを特徴とする請求項１乃至４の何れかに記載の加熱調理器。
【請求項６】
前記グリル表示部は、前記天板の裏面に重ねて貼り付けられ、それぞれ色の異なる発光材で表示内容が印字された印刷シートを有し、光源からの光に応じて異なった色で表示内容を表示することを特徴とする請求項５記載の加熱調理器。
【請求項７】
前記表示部及び前記グリル表示部の各印刷シートに、背景色として印字と異なる色の発光材が塗布されていることを特徴とする請求項６記載の加熱調理器。
【請求項８】
前記天板の裏面に前記加熱コイルと対向して設けられ、前記天板の温度に応じて異なる色を発光し、前記天板にリング状に表示する被加熱体の載置部を備えたことを特徴とする請求項１乃至７の何れかに記載の加熱調理器。
【請求項９】
前記載置部は、前記天板の裏面に重ねて貼り付けられ、色の異なる発光材が塗布された印刷シートを有し、光源からの光に応じて前記天板にリング状に発光することを特徴とする請求項８記載の加熱調理器。
【請求項１０】
前記印刷シートは、光源からの光の色が調理時間の経過に基づいて変化する毎に発光色が切り替わることを特徴とする請求項９記載の加熱調理器。
【発明の詳細な説明】
【技術分野】
【０００１】
本発明は、天板に載置された被加熱体を加熱コイルで誘導加熱する加熱調理器に関するものである。
【背景技術】
【０００２】
従来の加熱調理器には、一般的に、赤外線透過率が高く、可視領域における透過率が低い黒色の天板が使用されている（例えば、特許文献１参照）。
【先行技術文献】
【特許文献】
【０００３】
【特許文献１】特開平９−２３８８４１号公報（第２頁）
【発明の概要】
【発明が解決しようとする課題】
【０００４】
前述した従来の加熱調理器では、天板に黒色の結晶化ガラスが使用されているため、天板を透過する光が殆ど赤色に限られてしまい、表示部の表示色が大きく限られていた。
【０００５】
本発明は、前述のような課題を解決するためになされたもので、表示内容に応じて異なる色で天板に表示することができる加熱調理器を提供することを目的とする。
【課題を解決するための手段】
【０００６】
本発明に係る加熱調理器は、本体ケースと、本体ケースの上部に設けられ、可視光を透過するブラックガラスで形成された天板と、本体ケース内に天板に対向して配置された加熱コイルと、加熱コイルに対応して天板の裏面に設けられ、表示内容に応じた色で天板に表示する表示部とを備えたものである。
【発明の効果】
【０００７】
本発明によれば、天板を可視光を透過するブラックガラスで形成し、その天板の裏面に表示内容に応じた色で天板に表示する表示部を設けている。このため、天板上における表示部のデザイン性が向上し、表示部の用途の多様化を実現できる。
【図面の簡単な説明】
【０００８】
【図１】実施の形態に係る加熱調理器の外観を示す斜視図である。
【図２】実施の形態に係る加熱調理器の例えば右表示部の概略構成図及びブロック回路図である。
【図３】図１の右表示部の表示例を示す図である。
【図４】図１の右表示部の変形表示例を示す図である。
【図５】図１の載置位置表示部におけるタイマー表示の一例を示す図である。
【発明を実施するための形態】
【０００９】
図１は実施の形態に係る加熱調理器の外観を示す斜視図である。
実施の形態の加熱調理器は、図１に示すように、本体ケース１の上部に設けられた天板２と、本体ケース１内に天板２に近接して配置された円環状の例えば左加熱コイル及び右加熱コイルと、本体ケース１内に左加熱コイル及び右加熱コイルより下方の位置に加熱庫が配置されたグリル加熱器７とを主要部品として備えている。なお、本実施の形態においては、加熱コイルを２つとしているが、これは一例であって、１つあるいは３つ以上でもよい。
【００１０】
天板２は、可視光を透過するブラックガラスより形成され、周縁部に額縁状の金属製フレーム２ａが装着された状態で本体ケース１に取り付けられる。天板２には、左加熱コイルに対向する部分に鍋の載置位置を示す左載置部３が設定され、右加熱コイルに対向する部分に右載置部４が設定されている。また、天板２の前部には、左加熱コイル、右加熱コイル及びグリル加熱器７にそれぞれ対応して左表示部１３、グリル表示部１４及び右表示部１５が設定されている。左載置部３、右載置部４、左表示部１３、グリル表示部１４及び右表示部１５は、後述するが、加熱調理器に電源が入っていないときには、天板２上に表示されないように構成されている。
【００１１】
金属製フレーム２ａの後部には、吸気口カバー５及び排気口カバー６が取り外し可能に設けられている。金属製フレーム２ａの前部には、左加熱コイル、右加熱コイル及びグリル加熱器７の加熱動作をそれぞれ操作するための左操作部８、グリル操作部９及び右操作部１０が設けられている。左操作部８及び右操作部１０には、各加熱コイルの火力を選択するための弱キー、中キー及び強キー、揚げ物を調理するときに選択する揚げ物キーが設けられている。また、右操作部１０には、前述の各キーに加えて湯沸かしキーが設けられている。グリル操作部９には、メニューを選択するための自動メニューキー、グリルスタートキー、停止キー等が設けられている。本体ケース１の前面には、左加熱コイル及び右加熱コイルの火力をそれぞれ微調節するための左火力調節ダイヤル１１及び右火力調節ダイヤル１２が設けられている。
【００１２】
ここで、一例として、右表示部１５の構成について図２を用いて説明し、次いで、図１に示す左載置部３と右載置部４の構成について説明する。なお、左表示部１３は、湯沸かしキーがないだけで、その他は同じであるため、また、グリル操作部９は、表示内容が異なるだけであるため、説明を割愛する。
図２は実施の形態に係る加熱調理器の例えば右表示部の概略構成図及びブロック回路図である。
右表示部１５は、天板２であるブラックガラスの裏面に、例えば複数枚重ねて貼り付けられた印刷シート２１、２２及び３２、３３と、印刷シート２１、２２に対向配置された複数の発光装置２３〜３１と、印刷シート３２、３３に対向配置された発光装置３４と、各発光装置２３〜３１、３４の発光を制御する発光制御回路４２とを備えている。各発光装置２３〜３１、３４は、光源として、例えばＬＥＤを備えている。印刷シート２１、２２及び３２、３３には、例えば、耐熱性を有する透明のフィルムが使用され、それぞれの片面には、光が当たったときに同じ色の光を発する発光材で表示内容が印字されている。
【００１３】
印刷シート２１は、例えば３枚の印刷シートが重ねられて構成されている。印刷シート２１のうちの上段の印刷シートは、右表示部１５の表示窓を形成する大きさで、天板２の裏面に貼り付けられ、例えば白色の発光材が塗布されている。その白色が右表示部１５の背景色となる。中段の印刷シートは、後述する印刷シート３２と間隔をおいて上段の印刷シートに貼り付けられ、例えば青色の発光材で火力を示す数字（「１」〜「９」）が印字されている。下段の印刷シートは、中段の印刷シートと同様に、印刷シート３２と間隔をおいて中段の印刷シートに貼り付けられ、例えば赤色の発光材で同じ数字（火力）が印字されている。その中段と下段の印刷シートに印字された数字は、青と赤の異なる色が重なった状態となっている。
【００１４】
印刷シート２２は、例えば２枚の印刷シートが重ねられて構成されている。印刷シート２２のうちの上段の印刷シートは、前述の印刷シート２１の下段の印刷シートに貼り付けられ、例えば黄色の発光材で注意メッセージが印字されている。その注意メッセージは、例えば、適切な鍋が使用されていないときの鍋の交換を知らせる内容となっている。下段の印刷シートは、上段の印刷シートに貼り付けられ、例えば橙色の発光材でエラーメッセージが印字されている。そのエラーメッセージは、例えば、加熱調理中に異常温度を検出した場合の加熱停止を知らせる内容となっている。
【００１５】
印刷シート３２は、例えば１枚の印刷シートで、前述の印刷シート２１の中段の印刷シートと間隔おいて印刷シート２１の上段の印刷シートに貼り付けられ、例えば緑色の発光材で「湯沸かし」の文字が印字されている。印刷シート３３は、例えば１枚の印刷シートで、印刷シート３２に貼り付けられ、例えば黄色の発光材で「揚げ物」の文字が印字されている。
【００１６】
発光装置２３〜３１には、例えば、火力の各数字を表示するための青色ＬＥＤと赤色ＬＥＤがそれぞれ内蔵され、また、発光装置２３、２５、２７、２９、３１には、青色ＬＥＤと赤色ＬＥＤに加えて、背景色を表示するための白色ＬＥＤと、注意メッセージを表示するための黄色ＬＥＤが内蔵されている。また、発光装置２４、２６、２８、３０には、青色ＬＥＤと赤色ＬＥＤに加えて、エラーメッセージを表示するための橙色ＬＥＤが内蔵されている。発光装置３４には、白色ＬＥＤに加えて、「湯沸かし」の文字を表示するための緑色ＬＥＤと、「揚げ物」の文字を表示するための黄色ＬＥＤが内蔵されている。
【００１７】
発光制御回路４２は、制御装置４１により選択されたＬＥＤを点灯するように構成されている。なお、本実施の形態では、発光装置２３〜３１、３４にそれぞれ複数のＬＥＤを設けるようにしたが、これに代えて、３原色のＬＥＤを用いて、任意に色を発光できる発光装置でもよい。
【００１８】
図１に示す左載置部３と右載置部４は、例えば、リング状に形成された２枚の印刷シートが重ねられた状態で天板２に貼り付けられている。この２枚重ねの印刷シートの下方に周方向に配置された複数の発光装置が設けられている。天板２に貼り付けられた上段の印刷シートには、例えば青色の発光材が塗布され、下段の印刷シートには、例えば赤色の発光材が塗布されている。
【００１９】
前述の複数の発光装置は、青色ＬＥＤと赤色ＬＥＤとをそれぞれ備え、加熱調理器に電源が入ったときに、青色ＬＥＤを点灯して、上段の印刷シートに塗布された青色の発光材を発光させ、天板２上に青色のリング状の左載置部３と右載置部４をそれぞれ表示する。また、複数の発光装置は、左載置部３及び右載置部４を青色に表示した後に、天板２の温度が例えば６０℃を超えたときに、青色ＬＥＤを消灯すると共に、赤色ＬＥＤを点灯して、下段の印刷シートに塗布された赤色の発光材を発光させ、天板２上にリング状に表示する。この動作は、制御装置４１の制御に基づいて動作する発光制御回路４２からの信号の入力によって行われている。
【００２０】
前記のように構成された加熱調理器において、右表示部１５の表示例について図１乃至図３を用いて説明する。
図３は図１の右表示部の表示例を示す図である。図中の（ａ）は加熱調理器に電源が入ったときの表示例を示し、（ｂ）は湯沸かしのときの表示例を示し、（ｃ）は揚げ物調理時の表示例を示し、（ｄ）はエラーメッセージの表示例を示す。
【００２１】
電源スイッチ（図示せず）をオン操作すると、制御装置４１は、発光制御回路４２を介して、右表示部１５の発光装置２３、２５、２７、２９、３１に内蔵された白色ＬＥＤを点灯させると共に、発光装置２３〜３１に内蔵された全ての青色ＬＥＤを点灯させる。この時、印刷シート２１の上段の印刷シートに塗布された白色の発光材が発光して天板２を透過し、右表示部１５の表示窓として白色に発光する。また、印刷シート２１の中段の印刷シートに印字された青色の数字（火力（火力値）「１」〜「９」）が発光して天板２を透過し、右表示部１５の表示窓内に火力「１」〜「９」が表示される（図３（ａ）参照）。
【００２２】
一方、左表示部１３は、右表示部１５と同様に、表示窓が白色に発光し、表示窓内に青色の火力「１」〜「９」が表示される。また、グリル表示部１４の表示窓は、白色に発光する。また、天板２上には、青色に発光したリング形状の左載置部３及び右載置部４が表示される。
【００２３】
この状態において、右載置部４にやかんを載せた後に、右操作部１０に設けられた湯沸かしキーをＯＮ操作すると、制御装置４１は、発光制御回路４２を介して、発光装置３４の緑色ＬＥＤを点灯させると共に、発光装置２３〜３１のうち発光装置２３〜２９に内蔵された青色ＬＥＤを消灯すると共に、赤色ＬＥＤを点灯させる。
【００２４】
この時、印刷シート３２に印字された緑色の「湯沸かし」の文字が発光して天板２を透過し、右表示部１５の表示窓に緑色の「湯沸かし」が表示される（図３（ｂ）参照）。また、印刷シート２１の下段の印刷シートに印字された赤色の数字（火力「１」〜「７」）が発光して天板２を透過し、右表示部１５の表示窓に赤色の火力「１」〜「７」が表示される（図３（ｂ）参照）。火力「１」〜「７」までを赤色とするのは、右加熱コイルの出力に合わせており、加熱開始時の火力である。この場合、火力「８」、「９」は青色のままである。
【００２５】
やかんの加熱開始時は、右載置部４の発光色が青色であるが、天板２の温度が６０℃を超えたときに、青色ＬＥＤが消灯すると共に、赤色ＬＥＤが点灯して、下段の印刷シートに塗布された赤色の発光材を発光させ、天板２上に表示されたリング形状の右載置部４を赤色に変化させる。
【００２６】
また、右載置部４にフライパンを載せた後に、右操作部１０に設けられた揚げ物キーをＯＮ操作すると、制御装置４１は、発光制御回路４２を介して、発光装置３４の黄色ＬＥＤを点灯させると共に、発光装置２３〜３１のうち発光装置２５に内蔵された青色ＬＥＤを消灯すると共に、赤色ＬＥＤを点灯させる。
【００２７】
この時、印刷シート３３に印字された黄色の「揚げ物」の文字が発光して天板２を透過し、右表示部１５の表示窓に黄色の「揚げ物」が表示される（図３（ｃ）参照）。また、印刷シート２１の下段の印刷シートに印字された赤色の数字（火力「３」）が発光して天板２を透過し、右表示部１５の表示窓に赤色の火力「３」が表示される。火力「３」のみを赤色とするのは、右加熱コイルの出力に合わせており、予熱開始時の火力である。この場合、火力「１」、「２」、「４」〜「９」は青色のままである。なお、揚げ物の場合、火力「３」が赤色になった後、火力「４」、「５」、「６」が順に赤色となる（図３（ｃ）参照）。
【００２８】
フライパンの加熱開始時は、前記と同様に、右載置部４の発光色が青色であるが、天板２の温度が６０℃を超えたときに、青色ＬＥＤが消灯すると共に、赤色ＬＥＤが点灯して、下段の印刷シートに塗布された赤色の発光材を発光させ、天板２上に表示されたリング形状の右載置部４を赤色に変化させる。
【００２９】
また、制御装置４１は、右載置部４に載せられたフライパンが適切な材質でないと判定したときには、発光制御回路４２を介して、火力「１」〜「９」の表示を消灯すると共に、発光装置２３〜３１のうち発光装置２３、２５、２７、２９、３１に内蔵された黄色ＬＥＤを点灯させる。この時、印刷シート２２の上段の印刷シートに印字された黄色の注意メッセージが発光して天板２を透過し、右表示部１５の表示窓に黄色の注意メッセージが表示される。
【００３０】
また、制御装置４１は、揚げ物調理中に異常温度を検出したときには、発光制御回路４２を介して、火力「１」〜「９」の表示を消灯すると共に、発光装置２３〜３１のうち発光装置２４、２６、２８、３０に内蔵された橙色ＬＥＤを点灯させる。この時、印刷シート２２の下段の印刷シートに印字された橙色のエラーメッセージが発光して天板２を透過し、右表示部１５の表示窓に橙色のエラーメッセージが表示される（図３（ｄ）参照）。
【００３１】
以上のように実施の形態によれば、天板２を可視光を透過するブラックガラスで形成し、その天板２の裏面に色の異なる発光材で表示内容が印字された印刷シート２１、２２、３２、３３をそれぞれ重ねて貼り付け、発光装置２３〜３１、３４からの光の色に応じて表示内容を天板２に表示する。このように、異なった色で表示内容を表示できるので、天板２上における表示部１３、１４、１５のデザイン性が向上し、表示部１３、１４、１５の用途の多様化を実現できる。
【００３２】
なお、実施の形態では、電源スイッチがオン操作されたときに、左表示部１３及び右表示部１５の各表示窓に青色の火力「１」〜「９」を表示するようにしたが、これに限定されるものではない。例えば左操作部８及び右操作部１０に「らくらく」という名の付いたキー（表示切替キー）を設け、そのキーが操作されたときに、火力「１」〜「９」の表示を、図４に示すように、「弱」と「強」を左表示部１３及び右表示部１５の各表示窓に表示するようにしてもよい。この場合、「弱」と「強」を例えば青色とし、何れか一方が選択されたときに例えば赤色に切り替えて表示する。このように構成した場合、火力の設定が容易となる。なお、前述の色は一例であって限定されるものではない。
【００３３】
また、実施の形態では、電源スイッチがオン操作されたときに、左表示部１３、右表示部１５及びグリル表示部１４の各表示窓の背景色を白色としたが、これに限定されるものではない。例えば左表示部１３及び右表示部１５の各表示窓の背景色を白色とし、グリル表示部１４の表示窓の背景色を赤色や橙色など左表示部１３と右表示部１５の背景色と異なるようにしてもよい。このようにした場合、左表示部１３及び右表示部１５との識別が容易となる。
【００３４】
また、実施の形態では、電源スイッチがオン操作されたときに、リング形状の左載置部３と右載置部４を青色とし、加熱調理により天板２の温度が６０℃を超えたときに赤色としたが、各載置部３、４をタイマー表示としてもよい。例えば、図５に示すように、青色４ａに表示した右載置部４に載置された鍋に対し、タイマーが設定された場合、リング状に表示された青色４ａが調理時間の経過に伴い順に赤色４ｂに切り替わり、全てが赤色４ｂになったときに加熱調理完了とする。このようにした場合、加熱調理の残り時間の判別が容易である。
【００３５】
また、実施の形態では、左表示部１３、右表示部１５及びグリル表示部１４の各表示窓の背景色を白色とし、予め設定された色で表示内容を表示するようにしたが、各表示窓の背景色や各表示窓に表示の文字や数字などの色を特定のキーなどで選択できるようにしてもよい。このように構成した場合、高齢者にとって見やすい表示色を選択できる。
【符号の説明】
【００３６】
１  本体ケース、２  天板、２ａ  金属製フレーム、３  左載置部、４  右載置部、４ａ  青色、４ｂ  赤色、５  吸気口カバー、６  排気口カバー、７  グリル加熱器、８  左操作部、９  グリル操作部、１０  右操作部、１１  左火力調節ダイヤル、１２  右火力調節ダイヤル、１３  左表示部、１４  グリル表示部、１５  右表示部、２１、２２、３２、３３  印刷シート、２３〜３１、３４  発光装置、４１  制御装置、４２  発光制御回路。
【図１】
2014072038.tif 000003
【図２】
2014072038.tif 000004
【図３】
2014072038.tif 000005
【図４】
2014072038.tif 000006
【図５】
2014072038.tif 000007